(57)【特許請求の範囲】
【請求項１】
天井に支持されるとともにランプを支持する器具本体と、
前記器具本体に支持されるとともに前記ランプを覆うカバーとを有し、
前記カバーに設けられているバネ部材が、前記器具本体に設けられているバネ受けに支持されることにより、前記カバーが前記器具本体に取付けられる照明器具であって、
前記器具本体における前記バネ部材を前記カバーに取付けるバネ部材取付部に対向する面に、前記バネ部材取付部または前記カバーを支持する枠体から突出している締結部材が前記器具本体側に突出する突出量よりも大きく突出する複数個の突出部を設けたことを特徴とする照明器具。
【請求項２】
前記突出部が、前記器具本体において少なくとも対向する位置に配置されていることを特徴とする請求項１記載の照明器具。
【発明の詳細な説明】
【技術分野】
【０００１】
本発明は、光源を有する器具本体を天井等に直付けや埋め込みにより取り付けし、光源の前方を透光カバーによって覆う照明器具に関するものである。
【背景技術】
【０００２】
図１２に示すように、従来の天井に取り付けて用いる照明器具１００は、光源である蛍光ランプ１０１を内部に有する器具本体１０２を天井１０３に取付け、蛍光ランプ１０１の前方である器具本体１０２の開口を、透光カバー１０４によって覆っている（例えば特許文献１参照）。
【特許文献１】特開平６−７６６１４号公報（第１図）
【発明の開示】
【発明が解決しようとする課題】
【０００３】
ところで、図１３に示すように、天井に取り付けて用いる照明器具１００において、透光カバー１０４を器具本体１０２に取付けるためにバネ部材１０５を用いている場合には、透光カバー１０４の枠体１０４ａにバネ部材１０５を取付けるとともに、器具本体１０２にバネ受け金具１０６を設けているのが一般的である。
しかしながら、バネ部材１０５は、図１３（Ｂ）に示すように、ネジ１０７によって枠体１０４ａに取付けられているため、透光カバー１０４を着脱する際にネジ１０７の頭が器具本体１０２の内部に擦れて傷つけるという問題があった。
【０００４】
本発明は、従来の問題を解決するためになされたもので、カバーの着脱の際に、バネ部材取付部またはカバーを支持する枠体から突出しているネジやリベット等の締結部材が擦れて器具本体を傷つけるのを防止することができる照明器具を提供することを目的とする。
【課題を解決するための手段】
【０００５】
本発明の照明器具は、天井に支持されるとともにランプを支持する器具本体と、前記器具本体に支持されるとともに前記ランプを覆うカバーとを有し、前記カバーに設けられているバネ部材が、前記器具本体に設けられているバネ受けに支持されることにより、前記カバーが前記器具本体に取付けられる照明器具であって、前記器具本体における前記バネ部材を前記カバーに取付けるバネ部材取付部に対向する面に、前記バネ部材取付部または前記カバーを支持する枠体から突出している締結部材が前記器具本体側に突出する突出量よりも大きく突出する複数個の突出部を設けた構成を有している。
【０００６】
この構成により、バネ部材をカバーに取付けるバネ部材取付部またはカバーの枠体に取付けられている締結部材よりも突出量が大きな突出部を、器具本体におけるカバーのバネ部材取付部に対向する面に設けたので、カバーに取付けられているバネ部材を器具本体に設けられているバネ受けに着脱することによりカバーを着脱する際に、バネ部材取付部または締結部材が器具本体内面に擦れて傷つくのを防止することができる。
【０００７】
また、本発明の照明器具は、前記突出部が、前記器具本体において少なくとも対向する位置に配置されている構成を有している。
【０００８】
この構成により、突出部が対向した位置に設けられているので、カバーが器具本体に接触する際に、確実に突出部が先に接触することとなり、バネ部材取付部が器具本体内面に擦れて傷つくのを防止することができる。また、カバーを、容易に器具本体の中心位置に位置決めすることができ、外観が向上する。
【発明の効果】
【０００９】
本発明は、バネ部材をカバーに取付けるバネ部材取付部やカバーの枠体に取付けられている締結部材よりも突出量が大きな突出部を、器具本体におけるカバーのバネ部材取付部に対向する面に設けたので、カバーに取付けられているバネ部材を器具本体に設けられているバネ受けに着脱することによりカバーを着脱する際に、バネ部材取付部が器具本体内面に擦れて傷つくのを防止することができるという効果を有する照明器具を提供することができるものである。
【発明を実施するための最良の形態】
【００１０】
以下、本発明の実施の形態の照明器具について、図面を用いて説明する。
図１は本発明の実施形態にかかる照明器具の分解斜視図、図２（Ａ）は照明器具の横断面図、図２（Ｂ）は（Ａ）中（Ｂ）部分の拡大図、図３はカバーを器具本体に取付ける取付部を示す斜視図、図４（Ａ）は取付金具の正面図、図４（Ｂ）は同じく底面図、図４（Ｃ）は同じく側面図、図５は取付金具の部品保持部の斜視図、図６（Ａ）はカバーの平面図、図６（Ｂ）は（Ｂ）方向から見た正面図、図６（Ｃ）は（Ｃ）方向から見た側面図、図７はカバーの断面図、図８（Ａ）は枠体の角部の平面図、図８（Ｂ）は図８（Ａ）中（Ｂ）−（Ｂ）位置の断面図、図９は器具本体に対するカバーの着脱手順を示す分解斜視図、図１０は器具本体における突出部の配置例を示す平面図である。
【００１１】
図１および図２に示すように、本発明にかかる照明器具１０は、天井１１等に設けられている取付穴１２に埋め込んで取付けられるものであり、下方が開口した矩形箱状の器具本体２０と、器具本体２０の開口を覆うカバー３０を有している。そして、カバー３０に取付けられているバネ部材３１が、器具本体２０に設けられているバネ受け２５に支持されることにより、カバー３０が器具本体２０に着脱可能に取付けられるようになっている。
【００１２】
器具本体２０の天板２０ａ内面には複数箇所（例えば２箇所）に取付部材として取付金具２１が設けられており、天井１１から下方に向かって設けられている取付ボルト１３ａを取付金具２１の貫通穴２１ａに挿嵌し、ナット１３ｂを締結することにより、器具本体２０を取付穴１２に取付けている。器具本体２０の内部には、長手方向の両端部に、蛍光ランプ２２を支持するとともに給電するためのソケット２３が設けられている。また、器具本体２０の天板２０ａの下面には、反射板２４がネジ２４ａにより取付けられており、蛍光ランプ２２の光を下方へ反射するようになっている。
【００１３】
また、図２に示すように、器具本体２０において、後述するバネ部材取付部としての取付金具３１ｄやカバー３０の枠体３２に取付けられている締結部材としてのネジ３１ｅに対向する面である両側板２０ｂの内面の下端部には、複数個の突出部２９が設けられている。
【００１４】
図３および図４に示すように、取付金具２１は、器具本体２０の天板２０ａを略全幅にわたって補強する平板状の取付部２１ｂを有しており、取付用の貫通穴２１ａが設けられている。また、取付部２１ｂにおける器具本体２０の幅方向両端部（図３においては片方のみ表示）は、下方へ折り曲げられてバネ受け２５が一体的に設けられている。バネ受け２５は、取付部２１ｂから下方へ折り曲げて形成された連結部２５ａと、連結部２５ａの下端を器具本体２０の内側へ水平に折り曲げて形成された支持部２５ｂを有しており、支持部２５ｂには、バネ部材３１を引っ掛ける一対の支持穴２５ｃ、２５ｃが、器具本体２０の長手方向の前後に対向して設けられている。
【００１５】
従って、カバー３０に取付けられているバネ部材３１を支持するために器具本体２０に設けられているバネ受け２５が、器具本体２０を天井１１に取付ける取付金具２１と一体的に設けられているので、従来のように、バネ受け２５が器具本体２０から外れてカバー３０が落下するのを防止することができる。また、部品点数を減少させて、組立性を向上させることができる。
【００１６】
なお、バネ受け２５を有する取付金具２１を、予め器具本体２０に固定するのが望ましい。これにより、バネ受け２５は確実に器具本体２０に取付けられるので、バネ受け２５が器具本体２０から脱落するのを防止して、カバー３０が脱落するのを防止することができる。
【００１７】
また、図４および図５に示すように、取付金具２１の幅方向（すなわち、器具本体の長手方向）両端部は、下方（図５においては上方）へ折り曲げられて縦壁部２６ａ、２６ｂが形成されており、この縦壁部２６ａ、２６ｂに部品保持部２７が設けられている。ここでは、縦壁部２６ａの高さを低く、縦壁部２６ｂの高さを高く形成している。
【００１８】
両縦壁部２６ａ、２６ｂには、器具本体２０の長手方向に通る位置（すなわち、器具本体２０の断面において同じ位置）に電線保持部としての切欠き２７ａ、２７ｂが設けられており、蛍光ランプ２２に電力を供給する電線１４を保持するようになっている。切欠き２７ａ、２７ｂの位置は、取付ボルト１３ａの位置、すなわち、貫通穴２１ａの位置を避けるのが望ましい。これにより、取付ボルト１３ａを締める際に、電線１４を挟みこむような事態を回避することができる。
【００１９】
切欠き２７ａ、２７ｂの形状は、入り口を狭く、奥を広く形成するのが望ましい。これにより、押し込んだ電線１４を確実に保持して脱落するのを防止することができる。また、電線１４を通す際には入り口の縦壁部をまげて広げ、電線線１４を通した後に入り口を元に戻すことにより、電線１４の脱落を防止するようにしても良い。
【００２０】
従って、器具本体２０内部に設けられて器具本体２０を天井１１等に取り付けるための取付金具２１に、下方へ縦壁部２６ａ、２６ｂを折曲形成し、この縦壁２６ａ、２６ｂに部品保持部である切欠き２７ａ、２７ｂを形成したので、従来のようなテープ、インシュロック、ビニタイ等の別部品を設けることなく、電線１４を容易に取付けることができ、コストダウンを図ることができる。
【００２１】
また、高い方の縦壁部２６ｂには、端子台やソケット台等の他の部品２８を取り付けるための取付穴２７ｃが設けられている。
これにより、他の取付用の部品を別途設けることなく、他の部品２８を保持することができる。また、他の部品２８を、高さの高い縦壁部２６ｂによって、隔離することもできる。
【００２２】
図６および図７に示すように、カバー３０は、枠体３２と、この枠体３２に取り付けられる透光性を有するパネル３３と、パネル３３を枠体３２に固定するパネル押え３４を有する。枠体３２は、樹脂製で一定の幅を有し、全体として例えば矩形状をしている。また、パネル３３は透光性を有する樹脂製であり、矩形状をしていて、枠体３２の開口全体を覆っている。
【００２３】
従って、パネル３３を枠体３２に固定するパネル押え３４は、枠体３２の一対の長辺３２ａに沿って取り付けられる一対の長いパネル押え３５と、枠体３２の一対の短辺３２ｂに沿って取付けられる一対の短いパネル押え３６を有している。
【００２４】
図８に示すように、枠体３２は角部において長辺３２ａと短辺３２ｂとが結合されている。また、枠体３２の内側に設けられているパネル押え３４においては、角部において長いパネル押え３５と短いパネル押え３６を交わらせるとともに、一方のパネル押え（ここでは長いパネル押え３５）のみをネジ３１ｅ（図２（Ｂ）参照）で枠体３２に固定するとともに、長いパネル押え３５の端部の水平部３５ａを切欠いて垂直部３５ｂにより他方（短い方）のパネル押え３６の水平部３６ａを保持する。
【００２５】
これにより、短いパネル押え３６を固定するネジを無くすことができ、器具本体２０の内面を擦って傷付けるのを減少させることができる。また、ネジ３１ｅによる固定を少なくすることができるので、部品点数を減少させるとともに、組立作業性を向上させることができる。
【００２６】
なお、短いパネル押え３６の水平部３６ａの上面に、長いパネル押え３５の垂直部３５ｂを位置決めする凹凸としての凸部３７を設けるのが望ましい。凸部３７は幅方向内側一対または外側一対のみでも良い。これにより、パネル押え３４がずれるのを防止することができる。
【００２７】
図１に示すように、長いパネル押え３５には、複数箇所（ここでは２箇所）にバネ部材３１が取付けられている。図３に示すように、バネ部材３１は線材によるぜんまい形状をしており、中心軸３１ａから一対の支持アーム３１ｂが互いに離れる方向に設けられていて、支持アーム３１ｂの先端は折り曲げて係止部３１ｃが設けられている。図２（Ｂ）に示すように、中心軸３１ａは、バネ部材取付部である取付金具３１ｄに保持され、取付金具３１ｄをネジ３１ｅによって長いパネル押え３５に取付けることにより、バネ部材３１をカバー３０に取付けている。
【００２８】
次に、天井１１に取付けられている器具本体２０に対するカバー３０の着脱方法について説明する。
図２および図９に示すように、まず、バネ部材３１の一対の支持アーム３１ｂ、３１ｂの先端を互いに接近させて閉じ（図９中矢印Ａ）、カバー３０を器具本体２０に近付けて、支持アーム３１ｂの先端をバネ受け２５の支持穴２５ｃに挿入して係止する（図２および図９中矢印Ｂ）。この状態では、一対の支持アーム３１ｂ、３１ｂは開く方向へ付勢されており、カバー３０は器具本体２０のバネ受け２５に保持されて、落下しなくなる。次いで、カバー３０を押し上げて、器具本体２０に密着させる（図２および図９中矢印Ｃ）。このとき、一対の支持アーム３１ｂ、３１ｂはさらに開いて、支持アーム３１ｂの中心軸３１ａ寄りの部分でカバー３０を支持する。
【００２９】
なお、図２において前述したように、器具本体２０の両側板２０ｂの内面下端部に突出部２９を複数個設け、この突出部２９の高さ（突出量）Ｈ１（図２（Ｂ）参照）を、バネ部材取付部である取付金具３１ｄやパネル押え３５を枠体３２に固定しているネジ３１ｅ等のうち大きい方の突出量Ｈ２（図７参照）よりも大きくする。
これにより、カバー３０を器具本体２０に装着する際に、取付金具３１ｄやネジ３１ｅ等が器具本体２０の内面に擦れて傷つくのを防止することができる。
【００３０】
また、図１０に示すように、突出部２９は、器具本体２０において少なくとも対向する位置に配置されるようにする。
これにより、カバー３０が器具本体２０に接触する際に、確実に突出部２９が先に接触することとなる。また、カバー３０を、容易に器具本体２０の中心位置に位置決めすることができ、外観が向上する。
【００３１】
一方、蛍光ランプ２２の交換時等において器具本体２０に装着されているカバー３０を取り外す際には、カバー３０を強く引き下ろして、バネ部材３１の係止部３１ｃがバネ受け２５の支持穴２５ｃによって係止された状態とする。この状態では、カバー３０と器具本体２０との間には手を入れる隙間が形成されているので、隙間から手を入れてバネ部材３１の一対の支持アーム３１ｂを閉じ、係止部３１ｃをバネ受け２５の支持穴２５ｃから外す。これを全てのバネ部材３１について行い、カバー３０を器具本体２０から外す。
【００３２】
なお、本発明の照明器具は、前述した実施形態に限定されるものでなく、適宜な変形，改良等が可能である。
例えば、前述した実施形態においては、短いパネル押え３６の水平部３６ａの上面に、長いパネル押え３５の垂直部３５ｂを位置決めする凹凸として凸部３７を設けた場合について説明したが、図１１（Ａ）に示すように、水平部３６ａの上面に凹部３８を設けるとともに、長いパネル押え３５の垂直部３５ｂの先端に係止突起３５ｃを設け、図１１（Ｂ）に示すように、係止突起３５ｃを凹部３８に嵌合させることもできる。
【図面の簡単な説明】
【００３３】
【図１】本発明の実施形態にかかる照明器具の分解斜視図
【図２】（Ａ）は照明器具の横断面図、（Ｂ）は（Ａ）中（Ｂ）部分の拡大図
【図３】カバーを器具本体に取付ける取付部を示す斜視図
【図４】（Ａ）は取付金具の正面図、（Ｂ）は同じく底面図、（Ｃ）は同じく側面図
【図５】取付金具の部品保持部の斜視図
【図６】（Ａ）はカバーの平面図、（Ｂ）は（Ｂ）方向から見た正面図、（Ｃ）は（Ｃ）方向から見た側面図
【図７】カバーの断面図
【図８】（Ａ）は枠体の角部の平面図、（Ｂ）は（Ａ）中（Ｂ）−（Ｂ）位置の断面図
【図９】器具本体に対するカバーの着脱手順を示す分解斜視図
【図１０】器具本体における突出部の配置例を示す平面図
【図１１】（Ａ）はパネル押えに設ける凹凸としての凹部の一例を示す斜視図
【図１２】従来の照明器具の断面図
【図１３】（Ａ）は従来の照明器具の問題点を示す断面図、（Ｂ）は（Ａ）中（Ｂ）部の拡大図
【符号の説明】
【００３４】
１０  照明器具
１１  天井
２０  器具本体
２０ｂ  側板（対向する面）
２２  蛍光ランプ（ランプ）
２５  バネ受け
２９  突出部
３０  カバー
３１  バネ部材
３１ｄ  取付金具（バネ部材取付部）
３１ｅ  ネジ（締結部材）
【図１】
0005147119.tif 000002
【図２】
0005147119.tif 000003
【図３】
0005147119.tif 000004
【図４】
0005147119.tif 000005
【図５】
0005147119.tif 000006
【図６】
0005147119.tif 000007
【図７】
0005147119.tif 000008
【図８】
0005147119.tif 000009
【図９】
0005147119.tif 000010
【図１０】
0005147119.tif 000011
【図１１】
0005147119.tif 000012
【図１２】
0005147119.tif 000013
【図１３】
0005147119.tif 000014